(57)【要約】【課題】  動画と静止画が混在し、動画圧縮方式で再生している場合、ユーザが静止画としてキャプチャしたい場面のタイミングが静止画であった場合、動画圧縮方式から静止画圧縮方式に変換するので、元々静止画圧縮方式で得られる静止画に比べて、画素数の低い静止画しか得られない。【解決手段】  静止画データを記録する際、動画圧縮方式と静止画圧縮方式との両方で記録しておき、動画圧縮方式で再生中に静止画キャプチャを行う際には、静止画キャプチャされたタイミングに動画圧縮方式の静止画データに関連付けられた静止画圧縮方式で記録された静止画データがあるかの判定を設け（ＳＴ８０８）、静止画圧縮方式のデータがあるときにはもともと記録されている静止画圧縮方式のデータを取り出す（ＳＴ８１２）。【選択図】  図８
2007318368.tif 000002
【特許請求の範囲】
【請求項１】
画像処理装置であって、
第１方式で圧縮された画像を再生する再生部と、
前記再生部で再生している画像の取得を指示する取得指示部と、
前記指示部で取得が指示された画像を記録する記録部とを有し、
前記記録部は、前記指示部で指示された画像と対応する第２方式で圧縮された画像の有無を判断し、有と判断した場合には当該対応する前記第２の方式で圧縮された画像を記録し、無と判断した場合には当該指示された画像を前記第２の方式で圧縮して記録する画像処理装置。
【請求項２】
請求項１の画像処理装置であって、
前記再生部は、第１の記録媒体から画像を再生し、
前記記録部は、前記第１の記録媒体とは別の第２の記録媒体に画像を記録する画像処理装置。
【請求項３】
請求項１の画像処理装置であって、
前記再生部は、動画と静止画とを再生し、
前記記録部は、前記指示部で動画の一場面が指示された場合には当該指示された動画の一場面に当たる静止画を前記第２の方式で圧縮して記録し、前記指示部で静止画が指示された場合には前記指示部で指示された静止画と対応する前記第２方式で圧縮された画像の有無を判断する画像処理装置。
【請求項４】
請求項１の画像処理装置であって、
前記指示部で指示された画像よりも、当該画像に対応する前記第２方式で圧縮された画像が高画素数である画像処理装置。
【請求項５】
請求項１の画像処理装置であって、
前記第１方式は、ＭＰＥＧ方式であり、
前記第２方式は、ＪＰＥＧ方式である画像処理装置。
【請求項６】
請求項１の画像処理装置であって、
前記第１方式で圧縮された画像の縮小画を表示する縮小画表示部と、
前記縮小画表示部で表示している縮小画から前記再生部で再生する画像を指示する再生指示部とを有する画像処理装置。
【請求項７】
画像処理方法であって、
第１方式で圧縮された画像を再生し、
再生している画像の取得の指示を受け、
取得の指示を受けた画像と対応する第２方式で圧縮された画像の有無を判断し、
有と判断した場合には当該対応する前記第２の方式で圧縮された画像を記録し、
無と判断した場合には当該指示された画像を前記第２の方式で圧縮して記録する画像処理方法。
【請求項８】
請求項７の画像処理方法であって、
取得の指示を受けた画像が動画の一場面である場合には、当該指示された動画の一場面に当たる静止画を前記第２の方式で圧縮して記録する。
【請求項９】
請求項７の画像処理方法であって、
前記第１方式で圧縮された画像の縮小画を表示する縮小画表示部と、
前記縮小画表示部で表示している縮小画から前記再生部で再生する画像を指示する再生指示部とを有する画像処理装置。
【請求項１０】
画像処理装置であって、
画像を再生する再生部と、
前記再生部で再生している画像のキャプチャを指示するキャプチャ指示部と、
前記キャプチャ指示部でキャプチャを指示された画像よりも高画素数の画像を記録する記録部とを有する画像処理装置。
【発明の詳細な説明】
【技術分野】
【０００１】
技術分野は、再生している画像を静止画像として取り込む静止画キャプチャ機能を備えた画像取扱装置に係り、特に静止画像の再生中に静止画キャプチャ機能を動作した場合の高画質化の技術に関する。
【背景技術】
【０００２】
ユーザが任意の動画のひとコマを静止画として取り込み記録媒体に記録する静止画キャプチャ機能がある。静止画キャプチャ機能は、再生中の動画データから静止画データを作成する。この応用例として、特許文献１がある。特許文献１には、「入力された動画像データを静止画像として取り込む静止画キャプチャ装置であって、動画像が入力されて表示されているときに、常に、動画像データを、そのデジタル化周期よりも大きい一定時間間隔で、静止画像として取り込んで一時記憶する一時取得部と、該一時取得部に一時記憶された複数の静止画像を、表示を目的とした格納部へ転送するための指示を入力するキャプチャ指示部とを備え」との記載がある。
【０００３】
また、近年のビデオカメラ及びデジタルスチルカメラ等の映像記録再生装置は、１つの映像記録再生装置で動画や静止画の両方を撮影及び記録できる等、複数の撮影モードを有し、さらに複数の記録媒体に対応するなど多機能化が進んでいる。この応用例として、特許文献２がある。特許文献２には、「撮影された静止画を再生するときに、ＭＰＥＧ動画再生がベースのレコーダブルプレーヤでも再生でき、かつ高精細の静止画記録を行うに好適な、映像記録装置を提供する。」ことを課題として、「映像記録装置に於いて、静止画を記録する際には、静止画符号化手段により符号化した静止画像と、それと同じ静止画画像から信号変換手段により作成した１フレームの信号を動画符号化手段により符号化した静止画像の両方を記録する。」との記載がある。
【０００４】
【特許文献１】特開２００１−５４０５３号公報
【特許文献２】特開２００５−５１８１３号公報
【発明の開示】
【発明が解決しようとする課題】
【０００５】
特許文献１の技術は、動画像を再生しているときの静止画キャプチャ機能について考慮されている。しかし、動画像と静止画とを再生しているときなどに、静止画に対して静止画キャプチャ機能を用いることについて記載がない。また、特許文献２の技術は、動画と静止画と同じ圧縮技術（例えば、ＭＰＥＧ（Moving Picture Experts Group）方式）で再生することを考慮しているが、これらを再生しているときなどに、静止画に対して静止画キャプチャ機能を用いることについて記載がない。
【０００６】
静止画キャプチャ機能を動画に対して用いることに限定する手段もあり得る。しかし、動画の一場面を取り込むと共に、元から静止画として記録していた一場面も取り込むことで、いわばオリジナルアルバムを作成したいニーズはある。静止画キャプチャ機能の使用が動画に限定されると、特許文献２などの技術によって動画像と静止画とを同様に再生できるようになったとしても、ユーザにとっては使いづらくなってしまう。
【０００７】
また近年、撮像素子の高画素化などにより、カメラで撮影した静止画像の高画質化が図られるようになってきている。例えば、静止画でＪＰＥＧ方式で記録する場合、画素数は（横）１６００画素×（縦）１２００画素のような高画素で記録することができる。これに対し、動画の記録にも用いるＭＰＥＧ方式では、ＪＰＥＧ方式で記録する静止画よりも画素数が低いことが一般的である。例えば、ＭＰＥＧ方式は（横）７２０画素×（縦）４８０画素で40万画素あれば十分である。しかし、最近の静止画記録は何百万画素というものが一般的である。たとえＭＰＥＧ方式とＪＰＥＧ方式が同じ画素数であったとしても静止画ではＪＰＥＧ方式の方が高画質である。ＭＰＥＧ方式もＪＰＥＧ方式も圧縮の際に若干の画質劣化を許容しているが、一般的にＪＰＥＧ方式の方が静止画に対する画質劣化は少ない。
【０００８】
すると、ＭＰＥＧ方式の動画と静止画とを区分けせずに再生しているとき、静止画の再生中に静止画キャプチャ機能を作動できるようにしたとしても、ＭＰＥＧ方式で記録した画質を超える画質の静止画は得られない。すなわち、もともとＪＰＥＧ方式で記録している静止画よりも低画質の静止画を静止画キャプチャ機能によって取り込むことになってしまうという課題が考えられる。
【０００９】
しかし、上述したようにカメラなどで撮影した静止画の高画質化が図られるなか、静止画キャプチャ機能で記録した静止画にも高画質が望まれる。
【課題を解決するための手段】
【００１０】
そこで例えば、第１の方式の動画像と静止画とを混在して再生しているとき、この第１の方式の静止画を静止画キャプチャ機能により取り込む場合、第１の方式よりも高画質な第２の方式で記録した対応する静止画があれば、この第２の方式の静止画を取り込み画像（静止画キャプチャした画像）として扱う記録装置を提供する。
【００１１】
具体的に例えば、第１の圧縮・伸張方式で圧縮した第１の静止画データ及びまたは第２の圧縮・伸張方式で圧縮した第２の静止画データと第１の圧縮・伸張方式により圧縮した動画データとを記録した記録媒体と、記録媒体に記録されている第１の静止画データと動画データを第１の圧縮・伸張方式で伸張して再生する再生手段とを備えた映像記録再生装置において、再生手段から再生された第１の静止画データまたは動画データを第２の圧縮・伸張方式で圧縮して第２の記録媒体に記録する静止画キャプチャ手段と、静止画キャプチャ手段により記録する場合に再生中の第１の静止画データまたは動画データに関連付けられた第２の静止画データがあるかを判断するデータ有無判断手段とを設け、所定の操作により静止画キャプチャ手段により再生中の第１の静止画データまたは動画データを記録する場合、データ有無判断手段が有と判断したときは、記録媒体にある第２の静止画データを第２の記録媒体に記録し、データ有無判断手段が無と判断したときは、記録媒体にある第１の静止画データまたは動画データを第２の圧縮・伸張方式で圧縮して第２の記録媒体に記録する。これにより、静止画再生中に取り込み記録する静止画は、元のＪＰＥＧ方式で記録した画素数（横）１６００画素×（縦）１２００画素の静止画データとなるので、静止画再生中に取り込み記録する静止画の画質を改善することができるとともに動画再生中にはＭＰＥＧ方式からＪＰＥＧ方式に変換した静止画を得ることができる。
【発明の効果】
【００１２】
上記手段により、ユーザは、静止画キャプチャ機能によって、より高画質な画像を得ることができる。
【００１３】
上記以外の、課題、手段、効果は、後述する実施形態の説明によって明らかにされる。
【発明を実施するための最良の形態】
【００１４】
以下、本発明の実施に好適な実施形態の例を、図面を用いて説明する。ただし、本発明は、本実施形態に限定されるものではない。
【００１５】
（１）本実施例における映像記録再生装置として、ビデオカメラの内部構成及び動作概要について図１を用いて説明する。ビデオカメラ以外にも、例えば据え置きのレコーダや、再生専用のプレーヤであってもよい。画像処理装置ということもある。
【００１６】
図１は、ビデオカメラの内部構成例を示すブロック図である。図１において、本ビデオカメラは、レンズ１、撮像素子であるＣＣＤ（Charge Coupled Device）２、カメラＤＳＰ（Digital Signal Processor）３、再生元となる画像データが記録してある光ディスクやハードディスク等の記録媒体である記録メディアのディスク４、静止画データを記録する記録先の第２の記録媒体である記録メディアのカード５、ディスク４やカード５とデータの書き込みや読み出しを行うインターフェース６、記録画像信号を２種類（ＭＰＥＧ方式、ＪＰＥＧ方式）の圧縮方式での圧縮やディスク４の画像データをＭＰＥＧ方式で伸張して再生する再生部である記録・再生回路７、本ビデオカメラ全体を制御するとともに静止画キャプチャ部及びデータ有無判断部であるマイクロコンピュータ８、本ビデオカメラを操作するための各種キー９、文字情報を重畳したり各種画面を生成するグラフィック回路１０、液晶パネル等の表示部１１で構成されている。カード５とディスク４とを総称して記録媒体又は記録部と呼ぶこともある。
【００１７】
記録時、レンズ１から取り込まれた被写体像はＣＣＤ２にて映像信号に変換され、カメラＤＳＰ３を経由し、さらに記録・再生回路７では圧縮等の処理を施した後、インターフェース６によってディスク４に記録される。一方、記録・再生回路７に入力されたデジタル映像信号は、グラフィック回路１０で文字情報等を重畳され表示部１１に表示される。
【００１８】
ここで、動画記録時は、記録・再生回路７で第１の圧縮・伸張方式である動画圧縮形式のＭＰＥＧ方式の画素数（横）７２０画素×（縦）４８０画素のＭＰＥＧ動画データに圧縮し、インターフェース６を介して、ディスク４に記録されるものとする。このとき記録したＭＰＥＧデータは動画であるという情報もディスク４に記録しておく。
【００１９】
また、静止画記録時は、記録・再生回路７で、解像度の高い画素数（横）１６００画素×（縦）１２００画素の静止画データから、ＪＰＥＧ静止画データに圧縮すると共に、ＪＰＥＧ静止画データに圧縮前の（横）１６００画素×（縦）１２００画素の静止画データから画素数（横）７２０画素×（縦）４８０画素に縮小した静止画データを新たに作成して、ＭＰＥＧ−Ｉ静止画データに圧縮するものとする。
【００２０】
画素数はこれに限定されるものではない。二つの異なる静止画データが作成されることになるが、一方が他方よりも画素数が大きいものとする。ＪＰＥＧ静止画データとＭＰＥＧ−Ｉ静止画データとをお互いに関連付けて管理情報とともにインターフェース６を介して、ディスク４に記録する。このとき記録したＭＰＥＧ−Ｉデータは静止画であるという情報もディスク４に記録しておく。
【００２１】
ＪＰＥＧ静止画データとＭＰＥＧ−Ｉ静止画データの関連付けの例として、記録した日時で関連付ける、ファイルの名前で関連付ける、ファイルに共通の番号を付すなどがある。ただし、ファイル名での関連付けはユーザによって名前が編集される可能性があるためユーザに編集され得る名前以外の方法での関連付けが好ましい。
【００２２】
また、ＭＰＥＧ−Ｉ静止画データの作成は、静止画記録時に限らず、例えば各種キー９からの指示を受けたときやディスク４がＤＶＤ−Ｒなどであったときのファイナライズ時に実行してもよい。
【００２３】
再生時、ディスク４にあるＭＰＥＧ動画データやＭＰＥＧ−Ｉ静止画データは、インターフェース６を介して、記録・再生回路７でＭＰＥＧ方式で復号（伸張）等の処理を施された後、グラフィック回路１０で文字情報等を重畳され表示部１１に表示される。ＭＰＥＧ動画データやＭＰＥＧ−Ｉ静止画データのサムネイル画像が表示され、そのサムネイル画像から選択された画像を再生するようにしてもよい。
【００２４】
ここで動画再生時は、ディスク４にあるＭＰＥＧ動画データをインターフェース６を介して、記録・再生回路７でＭＰＥＧ方式で復号され、グラフィック回路１０を介し、表示部１１に表示される。また、静止画再生時は、ディスク４にあるＭＰＥＧ−Ｉ静止画データをインターフェース６を介して、記録・再生回路７でＭＰＥＧ方式で復号され、グラフィック回路１０を介し、表示部１１に表示される。
【００２５】
マイクロコンピュータ８は、本ビデオカメラ全体を制御する制御部である。各種キー９からの入力に従い各ブロックを制御するとともに、ディスク４にあるＭＰＥＧ動画データまたはＭＰＥＧ−Ｉ静止画データを再生中に任意の静止画を取り込んでカード５に記録する静止画キャプチャ部と、再生中のＭＰＥＧ動画データまたはＭＰＥＧ−Ｉ静止画データに関連付けられたＪＰＥＧ静止画データの有無を判断するデータ有無判断部とを備えている。本実施例では、それぞれのソフトウェアをＣＰＵで実行するものとして説明するが、ハードウェアで実行してもよい。
【００２６】
静止画キャプチャ機能動作時の概略を説明をする。各種キー９よりの所定の操作で再生が指示されると、マイクロコンピュータ８は、ディスク４に記録されているＭＰＥＧ動画データまたはＭＰＥＧ−Ｉ静止画データをインターフェース６を介して記録・再生回路７でＭＰＥＧ方式で復号（伸張）し、グラフィック回路１０を介し、表示部１１に再生画を表示する。再生画を表示中に、各種キー９のうちの静止画キャプチャ（取得指示）ボタンが押されたことを検知すると、マイクロコンピュータ８は再生一時停止状態にしそのときの再生画像を表示部１１に表示する。その後、マイクロコンピュータ８のデータ有無判断部により、表示している画像の元になるＭＰＥＧ動画データまたはＭＰＥＧ−Ｉ静止画データに関連付けられたＪＰＥＧ静止画データがあるかどうか判断する。
【００２７】
データ有無判断部により関連付けられたＪＰＥＧ静止画データがある場合には、マイクロコンピュータ８の静止画キャプチャ部によりディスク４にある表示中の画像に関連付けられたＪＰＥＧ静止画データを読み出し、インターフェース６を介してカード５にＪＰＥＧ静止画データを記録する。ここで、ＭＰＥＧ−Ｉ静止画データには関連付けられたＪＰＥＧ静止画データがあるので、静止画再生中に取り込み記録する静止画は、元のＪＰＥＧ方式で記録した画素数（横）１６００画素×（縦）１２００画素の静止画データとなるので、静止画再生中に取り込み記録する静止画の画質を改善することができる。
【００２８】
また、データ有無判断部により関連付けられたＪＰＥＧ静止画データがない場合には、マイクロコンピュータ８の静止画キャプチャ部によりディスク４にある表示中の画像の元のデータであるＭＰＥＧ動画データを読み出し、記録・再生回路７でＪＰＥＧ静止画データに変換しインターフェース６を介してカード５に記録する。これにより、動画再生中にはＭＰＥＧ方式からＪＰＥＧ方式に再圧縮した静止画を得ることができる。
【００２９】
（２）ビデオカメラの動画及び静止画の記録と再生の詳細を、図２から図５によって説明する。
【００３０】
まず、図２と図４を用いて、記録動作を説明する。
【００３１】
図２は、ビデオカメラの動画記録時の動作例を示すフローチャートである。記録待機状態において、各種キー９にある記録キーを押下して記録開始動作を行うと（ＳＴ２０１）、記録先の記録メディアであるディスク４の情報を取得し（ＳＴ２０２）、ディスク４に記録可能か判別する（ＳＴ２０３）。
【００３２】
ディスク４に記録不可の場合（ＳＴ２０３でＮｏ）、エラー表示して（ＳＴ２０４）、記録待機に戻る（ＳＴ２０９）。ディスク４に記録可能の場合（ＳＴ２０３でＹｅｓ）、デジタル映像信号を画素数（横）７２０画素×（縦）４８０画素のＭＰＥＧ動画データに圧縮し（ＳＴ２０５）、そのＭＰＥＧ動画データと管理情報をディスク４に記録する（ＳＴ２０６）。各種キー９にある停止キーが押下されると（ＳＴ２０７）、記録終了となり（ＳＴ２０８）、記録待機に戻る（ＳＴ２０９）。
【００３３】
図４は、ビデオカメラの静止画記録時の動作例を示すフローチャートである。記録待機状態において、各種キー９にある記録キーを押下して記録開始動作を行う（ＳＴ４０１）。記録先の記録メディアであるディスク４の情報を取得し（ＳＴ４０２）、ディスク４に記録可能か判別する（ＳＴ４０３）。ディスク４に記録不可の場合（ＳＴ４０３でＮｏ）、エラー表示して（ＳＴ４０４）、記録待機に戻る（ＳＴ４１０）。ディスク４に記録可能の場合（ＳＴ４０３でＹｅｓ）、記録・再生回路７で、デジタル映像信号の解像度の高い画素数（横）１６００画素×（縦）１２００画素の静止画データから、画素数（横）７２０画素×（縦）４８０画素に縮小した静止画データを、新たに作成する（ＳＴ４０５）。画素数（横）１６００画素×（縦）１２００画素の静止画データをＪＰＥＧ静止画データに圧縮し、画素数（横）７２０画素×（縦）４８０画素の静止画データをＭＰＥＧ−Ｉ静止画データに圧縮する（ＳＴ４０６）。ＪＰＥＧ静止画データとＭＰＥＧ−Ｉ静止画データとをお互いに関連付けて管理情報とともにディスク４に記録する（ＳＴ４０７）。記録が終わると自動的に記録終了となり（ＳＴ４０８）、記録待機状態に戻る（ＳＴ４０９）。
【００３４】
上述した記録動作によりディスク４に記録されたデータ構成を、図３と図５とを用いて説明する。
【００３５】
図３は、ビデオカメラの動画記録時のデータ構成の例を示す。動画を記録したＭＰＥＧ動画データは、ＭＰＥＧ方式で圧縮されたＭＰＥＧ動画データ３０１とそのデータを管理するための管理情報３０２とで構成されている。再生時には管理情報３０２を元にＭＰＥＧ動画データ３０１を読み出し再生する。またＭＰＥＧ動画データのＩピクチャを縮小したサムネイル画像３０３も格納しておく。サムネイル画像の形式はここではＪＰＥＧとする。
【００３６】
図５は、ビデオカメラの静止画記録時のデータ構成の例を示す。静止画を記録したＪＰＥＧ静止画データとＭＰＥＧ−Ｉ静止画データは、ＪＰＥＧ方式で圧縮されたＪＰＥＧ静止画データ５０１とＭＰＥＧ−Ｉ静止画データ５０２とそのデータを管理するための管理情報５０３とで構成されている。ＭＰＥＧ−Ｉ静止画データ５０２は、ＪＰＥＧ静止画データ５０１に関連付けられていることを管理情報５０３に記録している。再生時には、管理情報５０３を元にＭＰＥＧ−Ｉ静止画データを再生し、静止画キャプチャ機能の動作時にはＭＰＥＧ−Ｉ静止画データに関連付けられたＪＰＥＧ静止画データ５０１を読み出し、カード５に記録する。またＭＰＥＧ−Ｉ静止画データ又はＪＰＥＧ静止画データの縮小したサムネイル画像５０４も記憶しておく。サムネイル画像の形式はここではＪＰＥＧとする。ＪＰＥＧ静止画データ５０１とＪＰＥＧサムネイル画像５０４とを区別するため、前者を高画素数画像、後者を縮小画像ともいう。この場合、ＭＰＥＧ−Ｉ静止画を低画素数画像ともいう。
【００３７】
なお例えば、ＤＶＤ−ＲＡＭに動画、静止画を記録したときの内部構成（フォルダ構成）は、ＤＣＩＭ、ＤＶＤ＿ＲＴＡＶ、ＲＴＲ＿ＥＸＴＮを有する。ＤＣＩＭにはＪＰＥＧ静止画（高画素数）が記録されている。ＤＶＤ＿ＲＴＡＶには、ＭＰＥＧ動画とＭＰＥＧ−Ｉ静止画がそれぞれ別々に記録されている。ＲＴＲ＿ＥＸＴＮには、ＪＰＥＧサムネイルが記録されている。ＤＣＩＭ、ＤＶＤ＿ＲＴＡＶ、ＲＴＲ＿ＥＸＴＮはそれぞれ管理情報をもつ。ここで、例えば上述したＪＰＥＧ静止画（高画素数）とＭＰＥＧ−Ｉ静止画との関連付けは、ＤＶＤ＿ＲＴＡＶの管理情報に書くようにするとよい。ただし、他の管理情報（ＤＣＩＭの管理情報など）に書かれていてもよい。
【００３８】
（３）ビデオカメラの静止画キャプチャ機能の詳細を、図７から図９を用いて説明する。なお、ここでは、静止画キャプチャ機能は、表示部１１に供給されて表示されている再生中の動画像、もしくは静止画像の中から、所望の静止画像をカード５に取込む機能とする。ただし、第１の記録媒体であるディスク４にあるデータを第２の記録媒体であるカード５に静止画キャプチャするように示しているが、第１の記録媒体であるディスク４にあるデータをそのまま第１の記録媒体であるディスク４に記録するようにしてもよい。
【００３９】
図７は、ＭＰＥＧ圧縮方式における予測符号化の一連の流れを示す。１２は、ＭＰＥＧ−Ｉピクチャを示し、フレーム内のデータを圧縮して作られた画像データである。１３は、ＭＰＥＧ−Ｐピクチャを示し、時間的に前のＭＰＥＧ−ＩピクチャもしくはＭＰＥＧ−Ｐピクチャからの変化分によって作られた画像データである。１４は、ＭＰＥＧ−Ｂピクチャを示し、前後両方の再生画像からの予測によって作られた画像データである。動画と静止画がＭＰＥＧで記録されているディスク４において、この一連の符号化の流れから静止画を取り込み記録するには、動画再生中に静止画キャプチャボタンを押された場合、連続するＭＰＥＧストリームの中から静止画キャプチャボタンが押されたタイミングに近いＭＰＥＧ−Ｉピクチャを探し出し、それを取り出してＪＰＥＧ静止画データに変換して、カード５に記録する。
【００４０】
図８は、ビデオカメラの静止画キャプチャ（取得）機能動作時の処理例を示すフローチャートである。ディスク４にあるＭＰＥＧ動画データ、ＭＰＥＧ−Ｉ静止画データをＭＰＥＧ方式で再生中に、各種キー９にある静止画キャプチャボタンなどで静止画キャプチャ機能の処理動作を行うと（ＳＴ８０１）、再生一時停止状態になり再生一時停止画面としてそのときの静止画像が表示され（ＳＴ８０２）、静止画キャプチャ処理が開始される（ＳＴ８０３）。ここで、例えば、ＭＰＥＧ動画データＡと、ＭＰＥＧ−Ｉ静止画データＢ、ＭＰＥＧ動画データＣ、ＭＰＥＧ静止画データＤ、の時系列で記録されている又は再生するよう設定されている場合に、それに従って再生する。このような状態を混在して再生する、区分けせずに再生ともいう。混在または区分けせずとは、例えばＭＰＥＧ動画データＡとＭＰＥＧ−Ｉ静止画データＢとを同時に表示することを意味していない。逆に、ＭＰＥＧ動画データＡと、ＭＰＥＧ−Ｉ静止画データＢ、ＭＰＥＧ動画データＣ、ＭＰＥＧ静止画データＤ、の時系列で記録されている又は再生するよう設定されている場合に、敢えて、ＭＰＥＧ動画データＡとＭＰＥＧ動画データＣ、又は、ＭＰＥＧ−Ｉ静止画データＢとＭＰＥＧ静止画データＤのように表示することを区分けして再生という。
【００４１】
静止画キャプチャ処理の開始後、マイクロコンピュータ８によって記録するカード５の情報を取得し（ＳＴ８０４）、カード５の有無、カード５の残容量などの情報を元にチェックし記録可能かを判別する（ＳＴ８０５）。記録不可の場合は（ＳＴ８０５でＮｏ）、表示部１１に図６のようなエラーメッセージを表示し（ＳＴ８０６）、静止画キャプチャ処理を終了し（ＳＴ８１４）、再生一時停止画面に戻り再生一時停止画面としてそのときの静止画像を表示する（ＳＴ８１５）。
【００４２】
図６は、図８のＳＴ８０６でのエラー表示の画面例を示す。図６に示すように、「カードがありません。」とのメッセージが表示される。ここで、ユーザはこの表示を見てカードを挿入したり、記録容量のあるカードに交換する。
【００４３】
記録可の場合は（ＳＴ８０５でＹｅｓ）、インターフェース６を介してマイクロコンピュータ８によってディスク４にある管理情報を取得する（ＳＴ８０７）。マイクロコンピュータ８のデータ有無判別部によって、表示部１１に供給されて表示されている静止画像の元データであるＭＰＥＧ動画データまたはＭＰＥＧ-Ｉ静止画データに関連付けられたＪＰＥＧ静止画データがあるか判別する（ＳＴ８１６、ＳＴ８０８）。判別する方法をもう少し詳しく説明する。ＭＰＥＧ方式で再生中に、静止画キャプチャ処理動作を行うと、再生一時停止状態となり静止画が表示され、マイクロコンピュータ８により、その静止画は動画、静止画記録時に記録された情報を基に、ＭＰＥＧ動画データかＭＰＥＧ−Ｉ静止画データか判別される（ＳＴ８１６）。
【００４４】
ＭＰＥＧ−Ｉ静止画データと判別されると、静止画記録時に関連付けられた管理情報を基に、関連するＪＰＥＧ静止画データがあるかを検索する（ＳＴ８０８）。関連付けられたＪＰＥＧ静止画データがない場合（ＳＴ８０８でＮｏ）、表示されている静止画像にＭＰＥＧ動画データのみ存在する場合（ＳＴ８１６でＮｏ）には、マイクロコンピュータ８の静止画キャプチャ部の制御によって、記録・再生回路７でＭＰＥＧ動画データからＭＰＥＧ−Ｉピクチャを取り出す（ＳＴ８０９）。取り出したＭＰＥＧ−ＩピクチャをＪＰＥＧ静止画データに変換してから（ＳＴ８１０）、カード５に記録する（ＳＴ８１１）。マイクロコンピュータ８によって、表示部１１に実行終了メッセージを表示し（ＳＴ８１３）、静止画キャプチャ処理を終了し（ＳＴ８１４）、再生一時停止画面に戻り再生一時停止画面としてそのときの静止画像を表示する（ＳＴ８１５）。
【００４５】
表示部１１に供給されて表示されている静止画像にＭＰＥＧ−Ｉ静止画データに関連付けられたＪＰＥＧ静止画データが存在する場合（ＳＴ８０８でＹｅｓ）、ディスク４にある関連付けられているＪＰＥＧ静止画データをインターフェース６を介して取り出す（ＳＴ８１２）。取り出したＪＰＥＧ静止画データをカード５に記録する（ＳＴ８１１）。マイクロコンピュータ８によって、表示部１１に実行終了メッセージを表示し（ＳＴ８１３）、静止画キャプチャ処理を終了し（ＳＴ８１４）、再生一時停止画面に戻り再生一時停止画面としてそのときの静止画像を表示する（ＳＴ８１５）。
【００４６】
なお、再生中のＭＰＥＧ方式のデータ（動画と静止画とを問わず）から静止画キャプチャ機能によって、常にＭＰＥＧ方式の静止画データをＪＰＥＧの静止画に変換して取り込む場合には、図８のフローチャートにおいて、ＳＴ８０７と８０８と８１２とを省き、ＳＴ８０５でＹｅｓの場合、ＳＴ８０９につなげるようにすればよい。すなわち、記録可の場合は（ＳＴ８０５でＹｅｓ）、再生元のディスクから、表示している静止画像のＭＰＥＧ動画データまたはＭＰＥＧ−Ｉ静止画データを取り出し（ＳＴ８０９）、ＪＰＥＧ静止画データに変換してから（ＳＴ８１０）、記録先の記録メディアに記録する（ＳＴ８１１）。ただし、この場合、ユーザから静止画として取り込み記録したい場面として操作指示を受けたタイミングが静止画の再生中であった場合、静止画キャプチャ機能で取り込まれる元の画像データはＭＰＥＧ方式で記録された静止画データ（（横）７２０画素×（縦）４８０画素）である。これをＪＰＥＧ方式の静止画データに変換した場合は、画素数（横）７２０画素×（縦）４８０画素の画質となってしまう。よって、もともとＪＰＥＧ方式で記録していた画素数（横）１６００画素×（縦）１２００画素よりも低い静止画データを静止画キャプチャ機能によって取り込んでしまう。ユーザから見ると、同じ場面を撮影した静止画（ＪＰＥＧであってもＭＰＥＧであっても画質の良し悪しは別として、ユーザには同じ静止画見える）であっても、静止画キャプチャ機能によって取り込むと、撮影時に取得した静止画よりも画質が低下するように感じられてしまうおそれがある。一方、本実施例では、上述してきたようにこのような問題を解決している。
【図面の簡単な説明】
【００４７】
【図１】ビデオカメラの内部構成のブロック図例を示す
【図２】ビデオカメラの動画記録時のフローチャート例を示す
【図３】ビデオカメラの動画記録時のデータ構成例を示す
【図４】ビデオカメラの静止画記録時のフローチャート例を示す
【図５】ビデオカメラの静止画記録時のデータ構成例を示す
【図６】ビデオカメラのエラー表示の画面例を示す
【図７】ＭＰＥＧ圧縮方式における予測符号化の一連の流れの例を示す
【図８】ビデオカメラの静止画キャプチャ機能動作時のフローチャート例を示す
【符号の説明】
【００４８】
１…レンズ、２…ＣＣＤ、３…カメラＤＳＰ、４…ディスク、５…カード、６…インターフェース、７…記録・再生回路、８…マイクロコンピュータ、９…各種キー、１０…グラフィック回路、１１…表示部、１２…ＭＰＥＧ−Ｉピクチャ、１３…ＭＰＥＧ−Ｐピクチャ、１４…ＭＰＥＧ−Ｂピクチャ、３０１…ＭＰＥＧ動画データ、３０２、５０３…管理情報、５０１…ＪＰＥＧ静止画データ、５０２…ＭＰＥＧ−Ｉ静止画データ
【図１】
2007318368.tif 000003
【図２】
2007318368.tif 000004
【図３】
2007318368.tif 000005
【図４】
2007318368.tif 000006
【図５】
2007318368.tif 000007
【図６】
2007318368.tif 000008
【図７】
2007318368.tif 000009
【図８】
2007318368.tif 000010